(57)【要約】【課題】  ユーザの操作手順を簡略化するとともに、従来よりも高い販売促進効果を期待することができる仕組みを提供することにある。【解決手段】  メモリカード５には、それぞれに固有のメモリＩＤと、ＵＲＬとが記憶されている。移動機１は、メモリカード５から取得したＵＲＬを宛先としてメモリＩＤを機器ＩＤとを送信する。ＷＷＷサーバ装置４は、移動機１から送信されてくるメモリＩＤ及び機器ＩＤを受信すると、受信したメモリＩＤを当該メモリＩＤとともに受信した機器ＩＤに対応づけて記憶する。ＷＷＷサーバ装置は、記憶されているメモリＩＤの数が閾値を超えた場合には、当該メモリＩＤに対応する機器ＩＤの移動機に対して特典を提供するための処理を行う。【選択図】    図１
2006323537.tif 000002
【特許請求の範囲】
【請求項１】
それぞれに固有の媒体識別子と、所定の通信アドレスとを記憶した記憶媒体と、
それぞれに固有の機器識別子を記憶した記憶手段と、前記記憶媒体から前記媒体識別子と前記通信アドレスとを取得する取得手段と、取得した前記通信アドレスを宛先として前記媒体識別子と前記記憶手段に記憶されている機器識別子とを送信する送信手段とを備えた移動機と、
前記移動機から送信されてくる前記媒体識別子及び機器識別子を受信する受信手段と、受信した媒体識別子を当該媒体識別子とともに受信した前記機器識別子に対応づけて記憶する記憶手段と、前記記憶手段に記憶されている媒体識別子の数が閾値を超えた場合には、当該媒体識別子に対応する機器識別子の移動機に対して特典を提供するための処理を行う処理手段とを備えたサーバ装置と
を具備する通信システム。
【請求項２】
前記記憶媒体には、前記媒体識別子及び前記通信アドレスに加えて、コンテンツを表すコンテンツデータと、そのコンテンツに割り当てられたコンテンツ識別子とが記憶されており、
前記移動機の取得手段は、前記記憶媒体から前記媒体識別子及び前記通信アドレスに加えて、前記コンテンツデータと前記コンテンツ識別子とを取得し、
前記移動機の送信手段は、取得した前記通信アドレスを宛先として前記媒体識別子及び前記機器識別子に加えて前記コンテンツ識別子を送信し、
さらに、前記移動機は取得したコンテンツデータを表示する表示手段を備え、
前記サーバ装置は、
前記移動機から前記コンテンツ識別子を受信するたびに、その受信回数をコンテンツ識別子毎にカウントするカウント手段と、
前記カウント手段によるカウント値に基づいて、各々のコンテンツに対するアクセス頻度を表す情報を出力する出力手段と
を備える請求項１記載の通信システム。
【請求項３】
移動機から送信されてくる媒体識別子及び機器識別子を受信する受信手段と、
受信した媒体識別子を、当該媒体識別子とともに受信した前記機器識別子に対応づけて記憶する記憶手段と、
前記記憶手段に記憶されている媒体識別子の数が閾値を超えた場合には、当該媒体識別子に対応する機器識別子の移動機に対して特典を提供するための処理を行う処理手段と
を具備するサーバ装置。
【請求項４】
前記移動機から前記コンテンツ識別子を受信するたびに、その受信回数をコンテンツ識別子毎にカウントするカウント手段と、
前記カウント手段によるカウント値に基づいて各々のコンテンツに対するアクセス頻度を表す情報を出力する出力手段と
を備える請求項３記載のサーバ装置。
【発明の詳細な説明】
【技術分野】
【０００１】
本発明は、移動機などの移動通信端末にコンテンツを提供しつつ、その移動機のユーザに各種のサービスを提供するための技術に関する。
【背景技術】
【０００２】
携帯電話機を各種の電子商取引や電子サービスに利用するための仕組みが提案されている。たとえば、特許文献１には、商品に割り当てられた商品番号と、その商品情報の格納場所を示すＵＲＬ（Uniform Resource Locator）とをテレビやラジオあるいは電子メール等の媒体によりユーザに告知し、ユーザがこのＵＲＬと商品番号とを携帯電話機に入力してＷＷＷ（World Wide Web）サーバ装置にアクセスすると、ＷＷＷサーバ装置から商品番号に対応した商品の情報が携帯電話機に提供される、というシステムが開示されている。また別の例として、特許文献２には、広告情報を蓄積したＷＷＷサーバ装置に携帯電話機がアクセスした回数をカウントし、そのカウント値に応じて景品をユーザに提供する、という仕組みが提案されている。
【特許文献１】特開２００３−１５０８３４号公報
【特許文献２】特開２００２−２０３１７９号公報
【発明の開示】
【発明が解決しようとする課題】
【０００３】
最近では、携帯電話機を用いることによって商品の販売促進効果を向上させる仕組みを構築することが望まれている。そこで、上記のような特許文献１、２のような技術を応用することが考えられる。つまり、商品情報の格納場所を示すＵＲＬをユーザに告知し、ユーザがこのＵＲＬにアクセスすると、ＷＷＷサーバ装置から各種の商品情報が携帯電話機に提供されるほか、そのアクセス数に応じて何らかの特典をユーザに与える、といった具合である。
【０００４】
しかし、この場合には次のような問題が考えられる。
まず、特許文献１に記載された技術では、商品に割り当てられた商品番号とその商品情報を蓄積しているＵＲＬとをユーザが携帯電話機に入力しなければならないので、その手間が煩雑である。また、特許文献２に記載された技術では、ユーザが景品を入手することのみを目的として、同一のＵＲＬに何回もアクセスするだけでアクセス数が増加することになるので、そのようなユーザに対しては広告の効果（つまり販売促進効果）をあまり期待できない。
【０００５】
そこで、本発明の目的は、ユーザの操作手順を簡略化するとともに、従来よりも高い販売促進効果を期待することができる仕組みを提供することにある。
【課題を解決するための手段】
【０００６】
上述した課題を解決するため、本発明は、それぞれに固有の媒体識別子と、所定の通信アドレスとを記憶した記憶媒体と、それぞれに固有の機器識別子を記憶した記憶手段と、前記記憶媒体から前記媒体識別子と前記通信アドレスとを取得する取得手段と、取得した前記通信アドレスを宛先として前記媒体識別子と前記記憶手段に記憶されている機器識別子とを送信する送信手段とを備えた移動機と、前記移動機から送信されてくる前記媒体識別子及び機器識別子を受信する受信手段と、受信した媒体識別子を当該媒体識別子とともに受信した前記機器識別子に対応づけて記憶する記憶手段と、前記記憶手段に記憶されている媒体識別子の数が閾値を超えた場合には、当該媒体識別子に対応する機器識別子の移動機に対して特典を提供するための処理を行う処理手段とを備えたサーバ装置とを具備する通信システムを提供する。
【０００７】
この通信システムにおいて、記憶媒体は、商品の宣伝広告を目的とした展示会などで移動機のユーザに配布されたり、雑誌やお菓子等の商品のおまけとして移動機のユーザに配布されたりするものであり、無償で配布されるか有償で配布されるかはどちらでもよい。移動機は、記憶媒体に記憶されている通信アドレスにアクセスして媒体識別子を送信するが、この際、通信アドレスや媒体識別子は移動機によって記憶媒体から取得されるので、従来のようにユーザが通信アドレス等を覚えておいてそれらを移動機に手入力するというような手間が不要である。また、サーバ装置は、自装置に頻繁にアクセスしてきた移動機に対して特典を提供するための処理を行うから、この特典を目当てにサーバ装置にアクセスしてくる移動機（ユーザ）は増加する。よって販売促進効果の向上を期待することができる。さらに、この場合、各々の記憶媒体から取得される媒体識別子の数をアクセス数としてカウントするようにしているので、ユーザはアクセス数を増加させるためには、まず商品に関連して配布される記憶媒体をいくつも入手しなければならない。よって、従来のようにユーザが特典を入手することのみを目的として同一の通信アドレスに何回もアクセスするだけになり、結局、販売促進効果が上がらない、というような不都合が解消することが期待できる。
【０００８】
好ましい態様においては、前記記憶媒体には、前記媒体識別子及び前記通信アドレスに加えて、コンテンツを表すコンテンツデータと、そのコンテンツに割り当てられたコンテンツ識別子とが記憶されており、前記移動機の取得手段は、前記記憶媒体から前記媒体識別子及び前記通信アドレスに加えて、前記コンテンツデータと前記コンテンツ識別子とを取得し、前記移動機の送信手段は、取得した前記通信アドレスを宛先として前記媒体識別子及び前記機器識別子に加えて前記コンテンツ識別子を送信し、さらに、前記移動機は取得したコンテンツデータを表示する表示手段を備え、前記サーバ装置は、前記移動機から前記コンテンツ識別子を受信するたびに、その受信回数をコンテンツ識別子毎にカウントするカウント手段と、前記カウント手段によるカウント値に基づいて、各々のコンテンツに対するアクセス頻度を表す情報を出力する出力手段とを備える。また、本発明は、移動機から送信されてくる媒体識別子及び機器識別子を受信する受信手段と、受信した媒体識別子を、当該媒体識別子とともに受信した前記機器識別子に対応づけて記憶する記憶手段と、前記記憶手段に記憶されている媒体識別子の数が閾値を超えた場合には、当該媒体識別子に対応する機器識別子の移動機に対して特典を提供するための処理を行う処理手段とを具備するサーバ装置を提供する。好ましい態様においては、前記移動機から前記コンテンツ識別子を受信するたびに、その受信回数をコンテンツ識別子毎にカウントするカウント手段と、前記カウント手段によるカウント値に基づいて各々のコンテンツに対するアクセス頻度を表す情報を出力する出力手段とを備える。
【発明を実施するための最良の形態】
【０００９】
次に、本発明を実施するための最良の形態について説明する。
（１）構成
図１は、本実施形態の通信システム１００の全体構成を示す図である。
複数の移動機１は、例えばＩＭＴ−２０００（International Mobile Telecommunications-2000）などの通信方式に従って、移動通信網２を構成する基地局と無線通信を行う。移動通信網２は、図示せぬゲートウェイ設備を介してインターネット３に接続されている。インターネット３には複数のＷＷＷサーバ装置４が接続されている。移動機１にはＷＷＷブラウザプログラムが記憶されており、移動機１はこのＷＷＷブラウザプログラムを実行することにより、移動通信網２及びインターネット３を介して、ＷＷＷサーバ装置４との間でＨＴＴＰ（Hypertext Transfer Protocol）メッセージを遣り取りすることができるようになっている。
【００１０】
メモリカード５は、各種の情報が記憶されている記憶媒体である。このメモリカード５は、街頭や展示会などで移動機１のユーザに配布されたり、雑誌の付録やお菓子のおまけとして移動機１のユーザに配布されたりするものであり、無償で配布されるか有償で配布されるかはどちらでもよい。移動機１は、このメモリカード５と通信接続し得るように構成されている。ユーザは配布されたメモリカード５を自身の移動機１と通信接続させることで、移動機１はメモリカード５に記憶された情報を読み出す（取得）することができる。
【００１１】
ここで、図２は、移動機１とメモリカード５の構成を示すブロック図である。制御部１１は、例えばＣＰＵ（Central Processing Unit）など演算装置や、ＲＯＭ（Read Only Memory）やＲＡＭ（Random Access Memory）などの各種メモリを備えている。制御部１１は、自身のメモリや不揮発性メモリ１２に記憶されているコンピュータプログラムを読み出して実行することにより、移動機１の各部を制御する。無線通信部１３は、図示せぬアンテナや通信制御回路からなり、移動通信網２の基地局と無線通信を行う。操作部１４は、ユーザが各種入力操作を行うためのキーパッドを有しており、ユーザが押圧したキーに応じた信号を制御部１１に供給する。表示部１５は液晶ディスプレイや液晶駆動回路を備えており、制御部１１から供給される信号に基づいて画像を表示する。また、通話部１６は、音を収音するマイクロホンと、音を放音するスピーカとを備えている。
【００１２】
不揮発性メモリ１２は例えばＥＥＰＲＯＭ（Electrically Erasable and Programmable Read Only Memory）であり、ＷＷＷブラウザプログラムやＯＳ（オペレーティングシステム）などのコンピュータプログラムを記憶している。また、不揮発性メモリ１２には、それぞれの移動機１に固有の機器ＩＤ（機器識別子）が記憶されている。この機器ＩＤは、例えば移動機１の電話番号やＩＭＳＩ（International Mobile Subscriber Identity；加入者識別番号）などである。カードインタフェース１７は、メモリカード５に備えられたインタフェース５２に有線または無線により通信接続される。具体的には、例えば移動機１にはメモリカード５を挿入するためのカードスロットが設けられており、このカードスロット内にカードインタフェース１７が設けられている。移動機１の制御部１１は、カードインタフェース１７を介して、カードスロットに挿入されたメモリカード５から各種の情報を読み出すことができる。
【００１３】
メモリカード５の記憶部５１には、各々のメモリカードに固有のメモリＩＤ（媒体識別子）と、コンテンツを表すコンテンツデータと、そのコンテンツに割り当てられたコンテンツＩＤと、ＷＷＷサーバ装置４のＵＲＬ（Uniform Resource Locator；通信アドレス）とが予め記憶されている。コンテンツデータは、販売者が販売を促進したいと考えている商品に関するコンテンツデータである。具体的には、音楽や映画あるいはゲームのお試し版であったり、着信メロディや待ち受け画面などのコンテンツを表すものであったり、各種商品の宣伝広告に関するコンテンツなどを表すものである。移動機１のユーザが、例えばこれらのコンテンツに関してさらに詳細な情報を知りたいとか、紹介されている商品を購入したいといったような場合には、移動機１を操作し、メモリカード５の記憶部５１に記憶されているＵＲＬにその移動機１をアクセスさせるようにする。ＷＷＷサーバ装置４は、移動機１に配信可能な情報を、ＨＴＭＬ（Hypertext Markup Language）のファイル形式で記憶しており、上記アクセスに応答して、これらのＨＴＭＬファイルを移動機１に送信する。
【００１４】
さらに、ＷＷＷサーバ装置４は、自装置に頻繁にアクセスしてきた移動機１のユーザに対しては、何らかの特典を与えるようになっている。具体的には、例えば景品をユーザに発送したり、ユーザにポイントを付与するいった具合である。従って、移動機１のユーザはメモリカードに記憶されたコンテンツを参照した後などにＷＷＷサーバ装置にアクセスして商品に関連する情報を入手して見ることになるので、商品の販売者からみればユーザに対する販売促進効果を期待することができる。
【００１５】
ただし、従来のようにユーザが同一のＵＲＬに何回もアクセスするだけでアクセス数を増加させるようにしてしまうと、販売促進効果をあまり期待できないことになる。そこで、本実施形態では、後述するように、各々のメモリカード５について移動機１からのアクセスを１回だけカウントするようにしている。このようにすれば、ユーザはアクセス数を増加させるために、まずメモリカードを入手しなければならない。よって、例えばメモリカードが商品のおまけとして配布される場合には、ユーザはまず最初にその商品を多数購入しなければならなくなり、これによって商品の販売数が増加することになる。よって、販売促進効果が向上する。
【００１６】
次に、図３に示すブロック図を参照しながら、ＷＷＷサーバ装置４の構成について説明する。図３に示す制御部４１は、例えばＣＰＵなど演算装置や、ＲＯＭやＲＡＭなどの各種メモリを備えている。制御部４１は、これらのメモリや不揮発性記憶部４３に記憶されているコンピュータプログラムを読み出して実行することにより、ＷＷＷサーバ装置４の各部を制御する。通信部４２は、インターネット３に接続されており、制御部４１による制御の下でインターネット３及び移動通信網２を介して移動機１とデータ通信を行う。
【００１７】
不揮発性記憶部４３は、例えばハードディスクなどの大容量の記憶装置である。この不揮発性記憶部４３には、後述する処理手順が記述されたＷＷＷサーバアプリケーションプログラムや、上述したＨＴＭＬファイル群が記憶されている。さらに、記憶部４３には、移動機１からのアクセス状況を把握するためのテーブル群が記憶されている。
【００１８】
ここで、図４は、上記テーブル群の構成を概念的に示す図である。
図４の点線の矩形内に示したように、機器ＩＤ管理テーブルはコンテンツＩＤ単位に設けられている。例えば、コンテンツＩＤ「ＣＩＤ０００１」に対応する機器ＩＤ管理テーブルには、機器ＩＤ「ＵＩＤ０００１」、「ＵＩＤ０００２」、「ＵＩＤ０００３」、「ＵＩＤ０００４」、「ＵＩＤ０００５」、「ＵＩＤ０００６」・・・が登録されている。これは、コンテンツＩＤ「ＣＩＤ０００１」が示すコンテンツに関する商品の情報に対し、上記機器ＩＤの移動機１からアクセスがあったことを意味している。
【００１９】
さらに、図４には、機器ＩＤ「ＵＩＤ０００１」に対応するメモリＩＤ管理テーブルが不揮発性記憶部４３のメモリアドレス「add000001」に格納されていることが示されている。そして、この機器ＩＤ「ＵＩＤ０００１」に対応するメモリＩＤ管理テーブルには、メモリＩＤ「ＧＩＤ０００１」、「ＧＩＤ００１２」、「ＧＩＤ０１５２」、「ＧＩＤ０００４」が登録されている。これらのメモリＩＤは、移動機１によってメモリカード５から読み出されてからＷＷＷサーバ装置４に通知されたメモリＩＤである。このメモリＩＤ管理テーブルに登録されているメモリＩＤの数が閾値（例えば１０個）を超えると、そのメモリＩＤ管理テーブルに対応する機器ＩＤの移動機１（ユーザ）になんらかの特典が与えられることになる。
【００２０】
（２）動作
次に、上記構成による通信システム１００の動作を説明する。
図５は、通信システム１００におけるの動作を示すシーケンスチャートである。図５において、移動機１は、メモリカード５と通信接続された状態になると、そのメモリカード５からメモリＩＤ、コンテンツデータ、コンテンツＩＤ及びＵＲＬを取得する（ステップＳ１）。次いで、移動機１は、取得したコンテンツデータを解釈して表示部１５にコンテンツを表示する（ステップＳ２）。このコンテンツには、商品に関する情報のほか、「さらに詳細を知りたい場合はここを選択してください。」とか、「この商品を購入したい場合にはここをクリック」などのメッセージが含まれている。
【００２１】
ユーザが操作部１４を用いてこれらメッセージ中の「ここ」という文字列を選択すると（ステップＳ３；Ｙｅｓ）、移動機１はこの文字列にアンカータグで関連づけられているＵＲＬに対してＨＴＴＰリクエストを送信する（ステップＳ４）。このＨＴＴＰリクエストには、移動機１の不揮発性メモリ１２に記憶されている機器ＩＤと、移動機１がメモリカード５から取得したコンテンツＩＤとメモリＩＤとが含まれている。
【００２２】
ＷＷＷサーバ装置４の制御部４１は、上記ＨＴＴＰリクエストを受信すると、ステップＳ５において図６に示すような処理を実行する。図６において、制御部４１は上記ＨＴＴＰリクエストを受信すると（ステップＳ１１；Ｙｅｓ）、受信したＨＴＴＰリクエストに含まれている機器ＩＤ、コンテンツＩＤ及びメモリＩＤを取得する（ステップＳ１２）。そして、制御部４１は、取得したコンテンツＩＤ及び機器ＩＤに対応したメモリＩＤ管理テーブルが不揮発性記憶部４３に記憶されているか否かを判断する（ステップＳ１３）。これが記憶されていなければ（ステップＳ１３；Ｎｏ）、制御部４１は、取得したコンテンツＩＤ及び機器ＩＤに対応したメモリＩＤ管理テーブルを作成し（ステップＳ１４）、そのテーブルに、ステップＳ１２で取得した機器ＩＤを登録する（ステップＳ１５）。
【００２３】
また、ステップＳ１３において、制御部４１がコンテンツＩＤ及び機器ＩＤに対応したメモリＩＤ管理テーブルが不揮発性記憶部４３に記憶されていると判断すると（ステップＳ１３；Ｙｅｓ）、そのメモリＩＤ管理テーブルに、ステップＳ１２で取得した機器ＩＤが登録されているか否かを判断する（ステップＳ１６）。ここで、登録されていれば（ステップＳ１６；Ｙｅｓ）、制御部４１は、既にメモリＩＤが登録済みである旨のメッセージが記述されたＨＴＭＬファイルを不揮発性記憶部４３から読み出し（ステップＳ１７）、これを移動機１に送信する（ステップＳ２１）。このように、一度登録されたメモリＩＤは２回以上登録されることがないようにしているから、同じメモリカード５を用いた移動機１からのアクセスにより、そのアクセス数が２重にカウントされるのを防止することができる。
【００２４】
また、ステップＳ１６において、制御部４１が取得した機器ＩＤがメモリＩＤ管理テーブルに登録されていないと判断すると（ステップＳ１６；Ｎｏ）、制御部４１はメモリＩＤ管理テーブルに、ステップＳ１２で取得した機器ＩＤを登録する（ステップＳ１５）。ステップＳ１５における登録処理が完了すると、制御部４１は、登録されている機器ＩＤの数が閾値を超えたか否かを判断する（ステップＳ１８）。ここで閾値を超えていなければ（ステップＳ１８；Ｎｏ）、制御部４１は、メモリＩＤを登録した旨のメッセージが記述されたＨＴＭＬファイルを不揮発性記憶部４３から読み出し（ステップＳ１９）、これを移動機１に送信する（ステップＳ２１）。
【００２５】
一方、閾値を超えていれば（ステップＳ１８；Ｙｅｓ）、制御部４１は、移動機１のユーザに対して特典を与える旨のメッセージが記述されたＨＴＭＬファイルを不揮発性記憶部４３から読み出し（ステップＳ２０）、これをＨＴＴＰレスポンスとして移動機１に送信する（ステップＳ２１）。この後、制御部４１はユーザに特典を提供するための処理を行う。例えば、景品をユーザに発送するための郵送処理を行ったり、ユーザにポイントを付与する処理を行ったりする。このようにしてＷＷＷサーバ装置４から移動機１にＨＴＭＬファイルが送信されると（図５のステップＳ６）、移動機１はＷＷＷサーバ装置４から送信されてくるＨＴＭＬファイルを解釈して表示部１５に表示する（ステップＳ７）。
【００２６】
以上の実施形態によれば、移動機１のユーザが、メモリカード５に記憶されているコンテンツに関してさらに詳細な情報を知りたいとか、紹介されている商品を購入したいといったような場合に、移動機１を操作してメモリカード５の記憶部５１に記憶されているＵＲＬにその移動機１をアクセスさせる。この際、ＵＲＬやコンテンツＩＤはメモリカードに事前に記憶されているので、従来のようにユーザがＵＲＬやコンテンツＩＤ（商品番号）を覚えておいてそれらを手入力する、というような手間が不要である。
【００２７】
また、ＷＷＷサーバ装置４は、自装置に頻繁にアクセスしてきた移動機１のユーザに対しては、何らかの特典を与えるようになっている。従って、移動機１のユーザはメモリカード５に記憶されたコンテンツを参照した後などにＷＷＷサーバ装置４にアクセスして商品に関連する情報を入手して見ることになるので、商品の販売者からみればユーザに対する販売促進効果を期待することができる。さらに、この場合、各々のメモリカード５について移動機１からのアクセスを１回だけカウントするようにしているので、ユーザはアクセス数を増加させるためには、まずメモリカードを何個も入手しなければならない。よって、従来のようにユーザが景品を入手することのみを目的として同一のＵＲＬに何回もアクセスするだけになり、結局、販売促進効果が上がらない、という不都合が解消する。
【００２８】
（３）変形例
本発明は上述した実施形態に限定されず、次のような変形が可能である。
ＷＷＷサーバ装置４は、コンテンツ毎にその人気の程度を算出し、その算出結果を出力するようにしてもよい。具体的には制御部４１は、移動機１からコンテンツＩＤを受信するたびに、その受信回数をコンテンツＩＤ毎にカウントしておき、そのカウント値に基づいて各々のコンテンツに対するアクセス頻度を、例えばアクセス頻度が大、中、小などのというなレベル分けで出力する。このようにすれば、コンテンツに関係する商品ごとの人気を知ることができ、マーケティング等に役立てることも可能となる。
【００２９】
移動機１は、例えばＰＤＣ（Personal Digital Cellular）方式、ＧＳＭ（Global System for Mobile Communications ）方式の携帯電話機であってもよいし、ＰＨＳ（Personal Handyphone System：登録商標）方式の簡易携帯電話機であってもよいし、これらの通信方式で無線通信を行うＰＤＡ（Personal Digital Assistants）であってもよい。また、ＷＷＷサーバ装置４は、単体のサーバ装置によって構成される必要はなく、複数のサーバ装置群によって構成されていてもよい。また、ＷＷＷサーバ装置４は、インターネット３に接続されるのではなく、移動通信網２に専用線で接続されていてもよい。また、上述したＷＷＷサーバ装置４や移動機１において実行されるコンピュータプログラムは、磁気テープ、磁気ディスク、フロッピーディスク（登録商標）、光記録媒体、光磁気記録媒体、ＣＤ（Compact Disk）、ＤＶＤ（Digital Versatile Disk）、ＲＡＭなどの記録媒体に記録した状態で提供し得る。
【図面の簡単な説明】
【００３０】
【図１】本発明の実施形態に係る通信システムの構成を示す図である。
【図２】同実施形態における移動機とメモリカードの構成を示すブロック図である。
【図３】同実施形態におけるＷＷＷサーバ装置の構成を示すブロック図である。
【図４】同実施形態におけるＷＷＷサーバ装置が記憶しているテーブル群の構成を示す図である。
【図５】同実施形態におけるシステムの動作例を示すシーケンス図である。
【図６】同実施形態におけるＷＷＷサーバ装置の制御部の動作を示すフローチャートである。
【符号の説明】
【００３１】
１００…通信システム、１…移動機、２…移動通信網、３…インターネット３…ＷＷＷサーバ装置、５…メモリカード。
【図１】
2006323537.tif 000003
【図２】
2006323537.tif 000004
【図３】
2006323537.tif 000005
【図４】
2006323537.tif 000006
【図５】
2006323537.tif 000007
【図６】
2006323537.tif 000008